(57)【要約】【課題】全二重通信機能を有する移動端末に対して送受信機能を測定する。【解決手段】試験対象の移動端末へ時分割された各スロットに個々の移動端末に対する試験信号を組込んだ下り試験信号を送出し、試験対象の移動端末から送信された、試験信号の受信スロットと異なるスロットに応答信号を組込んだ上り応答信号を受信し、上り応答信号に含まれる応答信号から移動端末の送信機能を評価し、試験対象の移動端末で受信された、下り試験信号に含まれる移動端末の受信スロットの試験信号から移動端末の受信機能を評価する移動端末試験方法において、試験対象の移動端末が受信スロットを含む全てのスロットに応答信号を組込んだ上り全スロット応答信号を送信している期間において、試験対象の移動端末で受信された、下り試験信号に含まれる該当移動端末のスロットの試験信号から該当移動端末の全二重通信受信機能を評価する。【選択図】　　図１
2004056670.tif 000002
【特許請求の範囲】
【請求項１】
試験対象の移動端末へ時分割された各スロットに試験対象の移動端末を含む個々の移動端末に対する試験信号を組込んだ下り試験信号（ａ）を送出し、
前記試験対象の移動端末から送信された、前記試験信号の受信スロットと異なるスロットに応答信号を組込んだ上り応答信号（ｂ１）を受信し、この上り応答信号に含まれる応答信号から該当移動端末の送信機能を評価し、
前記試験対象の移動端末で受信された、下り試験信号に含まれる該当移動端末の受信スロットの試験信号から該当移動端末の受信機能を評価する
移動端末試験方法において、
前記試験対象の移動端末が受信スロットを含む全てのスロットに応答信号を組込んだ上り全スロット応答信号（ｂ２）を送信している期間において、前記試験対象の移動端末で受信された、下り試験信号に含まれる該当移動端末のスロットの試験信号から該当移動端末の全二重通信受信機能を評価することを特徴とする移動端末試験方法。
【請求項２】
試験対象の移動端末から送信された上り全スロット応答信号を受信して、この上り全スロット応答信号における前記試験対象の移動端末の受信スロット期間における応答信号から該当移動端末の全二重通信送信機能を評価することを特徴とする請求項１記載の移動端末試験方法。
【発明の詳細な説明】
【０００１】
【発明の属する技術分野】
本発明は、全二重通信（Ｆｕｌｌ−ｄｕｐｌｅｘ）機能を有した移動端末が有する送受信機能を試験する移動端末試験方法に関する。
【０００２】
【従来の技術】
例えば、デジタル携帯電話（ＰＤＣ）等で代表される移動端末が最寄りの基地局との間で通信する場合には、次のような情報通信を実施している。具体的には、図４に示すように、基地局１から自己の管轄エリア内に存在する各移動端末２ａ、２ｂ、２ｃに対して下り信号３を送信し、各移動端末２ａ、２ｂ、２ｃは上り信号４を基地局１へ送信する。
【０００３】
各移動端末２ａ、２ｂ、２ｃに対する下り信号３は、図５に示すように、時分割された３個のスロット５ａ、５ｂ、５ｃの繰り返しで構成されている。そして、この１個の下り信号３に対して１つの周波数ｆｄが割当られる。各スロット５ａ、５ｂ、５ｃには各移動端末２ａ、２ｂ、２ｃへ送信する各信号Ａ、Ｂ、Ｃが組込まれている。
【０００４】
下り信号３を受信した各移動端末２ａ、２ｂ、２ｃは自己に指定されたスロット５ａ、５ｂ、５ｃの信号を取込んで音声変換等の所定の情報処理を実施する。さらに、各移動端末２ａ、２ｂ、２ｃは、下り信号３の各スロット５ａ、５ｂ、５ｃに同期する３個のスロット６ａ、６ｂ、６ｃの繰返しで構成されている上り信号４の自己に与えられたスロット６ｃ、６ａ、６ｂに基地局１へ送信する各信号Ａ、Ｂ、Ｃを組込む。
【０００５】
この場合、各移動端末２ａ、２ｂ、２ｃにおいては、下り信号３の自己の受信スロット５ａ、５ｂ、５ｃと、上り信号４の自己の送信スロット６ｃ、６ａ、６ｂが時間的に重複しないようにスロット位置が設定されている。
【０００６】
このような移動端末が有する送受信機能の試験を実施する方法を図６を用いて説明する。移動端末試験装置７内には、信号発生部８と送信系評価部９と受信系評価部１０とが組込まれている。
【０００７】
信号発生部８は、試験対象の移動端末２へ各スロットに試験対象の移動端末２を含む各移動端末に対する試験信号を組込んだ下り試験信号ａを送信する。送信系評価部９は、試験対象の移動端末２から上り応答信号ｂを受信して、この応答信号ｂから試験対象の移動端末２の送信機能を評価する。受信系評価部１０は、試験対象の移動端末２で受信された下り試験信号ａの受信信号（試験信号）ｃを取込んでこの受信信号ｃから試験対象の移動端末２の受信機能を評価する。
【０００８】
したがって、この移動端末試験装置７を用いることによって、試験対象の移動端末２が有する基地局１から送信された下り信号３に対する受信機能、及び試験対象の移動端末２が基地局１へ送信する上り信号に対する送信機能を評価できる。
【０００９】
【発明が解決しようとする課題】
しかしながら図６に示した移動端末試験装置７を用いた移動端末２が有する送受信機能の試験を実施する方法においてもまだ解消すべき次のような課題があった。
【００１０】
近年、移動端末の機能が向上しで、ネットワーク上のサーバから通常の音声や静止画像のみならず、動画も移動端末に対して送信可能となっている。ネットワーク上のサーバから動画を移動端末へ効率的に送信するためには、図７に示すように、基地局１から各移動端末２ａ、２ｂ、２ｃへ送信する下り信号３を、各移動端末２ａ、２ｂ、２ｃ毎に個別の周波数ｆｄ１、ｆｄ２、ｆｄ２を有する３個の下り信号３ａ、３ｂ、３ｃに分割し、各下り信号３ａ、３ｂ、３ｃの各スロットに同一移動端末に対する信号を組込む。このように構成することによって、各移動端末２ａ、２ｂ、２ｃへ送信する信号（情報）の伝送速度が従来に比較して３倍となる。
【００１１】
但し、各移動端末２ａ、２ｂ、２ｃからネットワーク上のサーバに対する情報の送信速度はそんなに高く要求されないので、上り信号４の各スロットに対する各移動端末２ａ、２ｂ、２ｃの割付は変更しない。
【００１２】
したがって、各移動端末２ａ、２ｂ、２ｃにおいては、自己に指定された下り信号３ａ、３ｂ、３ｃの各スロットの各信号を受信している期間において、上り信号４の自己の送信スロットに基地局１宛の信号を組込んで送信する全二重通信（Ｆｕｌｌ−ｄｕｐｌｅｘ）機能を有する。
【００１３】
なお、全二重通信（Ｆｕｌｌ−ｄｕｐｌｅｘ）機能を有する移動端末２ａ、２ｂ、２ｃは、全二重通信（Ｆｕｌｌ−ｄｕｐｌｅｘ）機能を使用しない通常通信モード時においては、基地局１から図５に示した通常の下り信号３が送信されてくる。
【００１４】
したがって、この全二重通信（Ｆｕｌｌ−ｄｕｐｌｅｘ）機能を有するこの移動端末に対して、全二重通信（Ｆｕｌｌ−ｄｕｐｌｅｘ）機能を正確に評価するためには、図６の移動端末試験装置７において、スロットに試験対象の移動端末２を含む各移動端末に対する試験信号を組込んだ通常の下り試験信号ａの他に、図７に示す各下り信号３ａ〜３ｃに対応するフォーマットの下り試験信号を生成して、試験対象の移動端末２へ送信する必要がある。
【００１５】
しかしながら、上述した下り試験信号ａを生成する従来の信号発生部８の他に、図７に示す各下り信号３ａ〜３ｃに対応するフォーマットの下り試験信号を生成するには、専用の信号発生部を別途付加する必要があり、移動端末試験装置７の製造費が大幅に向上する。
【００１６】
さらに、現在稼働状態の移動端末試験装置７に、専用の信号発生部を別途付加すると、多額の改造費が必要となる。
【００１７】
本発明はこのような事情に鑑みてなされたものであり、試験対象の移動端末側における上り応答信号を工夫することによって、移動端末試験装置側における最小限の制御変更で全二重通信（Ｆｕｌｌ−ｄｕｐｌｅｘ）機能を有する移動端末に対しても全二重通信（Ｆｕｌｌ−ｄｕｐｌｅｘ）機能を正確に評価できる移動端末試験方法を提供することを目的とする。
【００１８】
【課題を解決するための手段】
本発明は、試験対象の移動端末へ時分割された各スロットに試験対象の移動端末を含む個々の移動端末に対する試験信号を組込んだ下り試験信号を送出し、試験対象の移動端末から送信された、試験信号の受信スロットと異なるスロットに応答信号を組込んだ上り応答信号を受信し、この上り応答信号に含まれる応答信号から該当移動端末の送信機能を評価し、試験対象の移動端末で受信された、下り試験信号に含まれる該当移動端末の受信スロットの試験信号から該当移動端末の受信機能を評価する移動端末試験方法に適用される。
【００１９】
そして、上記課題を解消するために、本発明の移動端末試験方法においては、試験対象の移動端末が受信スロットを含む全てのスロットに応答信号を組込んだ上り全スロット応答信号を送信している期間において、試験対象の移動端末で受信された、下り試験信号に含まれる該当移動端末のスロットの試験信号から該当移動端末の全二重通信受信機能を評価する。
【００２０】
このように構成された移動端末試験方法においては、例えば擬似基地局の機能を有する移動端末試験装置側から試験対象の移動端末へ送信する下り試験信号には、全二重通信（Ｆｕｌｌ−ｄｕｐｌｅｘ）機能を有さない通常の移動端末に対する下り試験信号を採用している。
【００２１】
そして、試験対象の移動端末はこの下り試験信号における自己を指定したスロット（受信スロット）を含む全てのスロットに応答信号を組込んだ上り全スロット応答信号を移動端末試験装置へ送信する。
【００２２】
したがって、試験対象の移動端末としては、下り試験信号における受信スロットに含まれる試験信号を受信している状態で応答信号を送信している。そして、移動端末試験装置は、試験対象の移動端末が応答信号を送信している状態における受信信号から該当移動端末における全二重通信（Ｆｕｌｌ−ｄｕｐｌｅｘ）時の受信機能の評価が可能となる。このように移動端末試験装置は従来の下り試験信号を用いて全二重通信（Ｆｕｌｌ−ｄｕｐｌｅｘ）時の受信機能の評価が可能となる。
【００２３】
また別の発明は、上述した発明の移動端末試験方法において、さらに、試験対象の移動端末から送信された上り全スロット応答信号を受信して、この上り全スロット応答信号における試験対象の移動端末の受信スロット期間における応答信号から該当移動端末の全二重通信送信機能を評価する。
【００２４】
このように構成された移動端末試験方法において、試験対象の移動端末としては、移動端末試験装置は、試験対象の移動端末が試験信号を受信している状態に送信された応答信号から該当移動端末における全二重通信（Ｆｕｌｌ−ｄｕｐｌｅｘ）時の送信機能の評価が可能となる。このように移動端末試験装置は従来の下り試験信号を用いて全二重通信（Ｆｕｌｌ−ｄｕｐｌｅｘ）時の送信機能の評価が可能となる。
【００２５】
【発明の実施の形態】
以下、本発明の一実施形態を図面を用いて説明する。
図１は実施形態に係る移動端末試験方法が適用される移動端末試験装置１１及び試験対象の移動端末１２の概略構成を示すブロック構成図である。
【００２６】
移動端末試験装置１１は、大きく分けて、試験信号送信部１３と、送信系評価部１４と、受信系評価部１５と、各部１３〜１５の動作を制御する測定制御部１６とで構成されている。コンピュータで構成された測定制御部１６には、評価結果を表示する表示器１７及び操作者が各種指示を操作入力する操作部１８が接続されている。
【００２７】
試験信号送信部１３内において、試験データ発生部１９は、図２（ａ）（ｂ）に示す下り試験信号ａの時分割された各スロット２５ａ、２５ｂ、２５ｃに組込むべき試験信号Ａ、Ｂ、Ｃの各試験データを作成して、フレーム組込回路２０へ送出する。実施形態においては、各試験データはＰＮ符号列で構成されでいる。フレーム組込回路２０は、クロック発生器２１から入力されたクロック信号を用いて、各試験データを試験信号Ａ、Ｂ、Ｃとして、各スロット２５ａ、２５ｂ、２５ｃに組込んで変調部２２へ送信する。変調部２２は搬送波発生器２３から入力された搬送波信号を各スロット２５ａ、２５ｂ、２５ｃに組込まれ試験信号Ａ、Ｂ、Ｃで変調して送信回路２４へ送出する。送信回路２４は入力された変調信号を図２（ａ）（ｂ）に示すフォーマットを有する下り試験信号ａとして、試験対象の移動端末１２の信号受信端子２６ａへ送信する。
【００２８】
試験対象の移動端末１２は、上り信号におけ受信スロットと異なるスロットに信号を書込む図５に示した通常の通信機能の他に、送信と受信とを同一スロットで実施する全二重通信（Ｆｕｌｌ−ｄｕｐｌｅｘ）機能を有している。
【００２９】
そして、この試験対象の移動端末１２は、この移動端末１２に対する試験の実施に対して、図２（ａ）に示す通常試験モードと図２（ｂ）に示す全二重試験モードとに設定可能である。
【００３０】
通常試験モードにおいて、下り試験信号ａが入力すると、図２（ａ）に示すように、この下り試験信号ａの自己の受信スロットの試験信号を受信して、この受信信号ｃ１をモニタ端子２７から移動端末試験装置１１の受信系評価部１５へ送出する。さらに、受信スロットと異なるスロットに応答信号を組込んだ上り応答信号ｂ１を信号送信端子２６ｂを介して移動端末試験装置１１の送信系評価部１４へ送出する。
【００３１】
一方、試験対象の移動端末１２は、全二重試験モードに設定された状態においては、下り試験信号ａが入力すると、図２（ｂ）に示すように、この下り試験信号ａの自己の受信スロットの試験信号を受信して、この受信信号ｃ１をモニタ端子２７から移動端末試験装置１１の受信系評価部１５へ送出する。さらに、受信スロットを含む全部のスロットに同一の応答信号を組込んだ上り全スロット応答信号ｂ２を信号送信端子２６ｂを介して移動端末試験装置１１の送信系評価部１４へ送出する。
【００３２】
移動端末試験装置１１の送信系評価部１４において、試験対象の移動端末１２から入力された上り応答信号ｂ１又は上り全スロット応答信号ｂ２は信号抽出部２８で必要なスロットの応答信号が抽出されて、送信電力測定部２９、周波数測定部３０、変調度測定部３１、隣接チャネル漏洩電力測定部３２へ入力される。
【００３３】
移動端末試験装置１１の受信系評価部１５において、試験対象の移動端末１２から入力された受信信号ｃ１は、ビット誤り率測定部３３及び受信感度測定部３４へ入力される。
【００３４】
コンピュータからなる測定制御部１６は、操作者が操作部１８を介して試験実施指令を入力すると、試験信号送信部１１へ下り試験信号ａの送信指示を送出すると共に、受信系評価部１５へ受信信号ｃ１に対する評価実施指令を送出する。
【００３５】
さらに、測定制御部１６は、操作者が操作部１８にて通常試験モードを指定すると、送信系評価部１４の信号抽出部２８へ上り応答信号ｂ１における試験対象の移動端末１２に指定されたスロット（送信スロット）の応答信号の抽出を指示する。
【００３６】
また、測定制御部１６は、操作者が操作部１８にて全二重試験モードを指定すると、送信系評価部１４の信号抽出部２８へ上り全スロット応答信号ｂ２における、試験対象の移動端末１２に指定された下り試験信号ａの受信スロットに対応するスロットの応答信号の抽出を指示する。すなわち、上り全スロット応答信号ｂ２の応答信号が組込まれた全スロットのうち、試験対象の移動端末１２において、受信と送信とが一致するスロットの応答信号のみが抽出される。
【００３７】
送信系評価部１４の送信電力測定部２９は入力された応答信号の送信電力を測定する。周波数測定部３０は入力された応答信号の周波数を測定する。変調度測定部３１は入力された応答信号の変調度を測定する。隣接チャネル漏洩電力測定部３２は入力された応答信号の隣接チャネルに対する漏洩電力を測定する。
【００３８】
受信系評価部１５のビット誤り率測定部３３は、試験対象の移動端末１２で受信した受信信号ｃ１に含まれるＰＮ符号列からなる試験データのビット誤り率を測定する。受信感度測定部３４は、試験対象の移動端末１２で受信した受信信号ｃ１の信号レベルから試験対象の移動端末１２の受信感度を測定する。
【００３９】
そして、測定制御部１６は図３の流れ図に従って試験対象の移動端末１２に対する試験を実施する。
【００４０】
先ず、操作者が操作部１８で試験モードを設定していることを確認する（ステップＳ１）。なお、操作者は、操作部１８で設定した試験モードと同一の試験モードを試験対象の移動端末１２に設定する。
【００４１】
通常試験モードが設定されていた場合（Ｓ２）、試験信号送信部１３へ指令を送出して、図２（ａ）に示す下り試験信号ａを試験対象の移動端末１２へ送出する（Ｓ３）。同時に、送信系評価部１４にて図２（ａ）に示す上り応答信号ｂ１を取込む（Ｓ４）。さらに、受信系評価部１５で試験対象の移動端末１２の受信信号ｃ１を取込む（Ｓ５）。
【００４２】
その後、送信系評価部１４の各部２９、３０、３１、３２を起動して、試験対象の移動端末１２の送信機能を評価する（Ｓ６）。次に、受信系評価部１５の各部３３、３４を起動して、試験対象の移動端末１２の受信機能を評価する（Ｓ７）。そして、得られた各評価結果を表示器１７へ表示出力する（Ｓ８）。
【００４３】
Ｓ２にて、試験モードが通常試験モードでなくて、全二重試験モードが設定されていた場合、試験信号送信部１３へ指令を送出して、図２（ｂ）に示す下り試験信号ａを試験対象の移動端末１２へ送出する（Ｓ９）。同時に、送信系評価部１４にて図２（ｂ）に示す上り全スロット応答信号ｂ２を取込む（Ｓ１０）。この取込んだ上り全スロット応答信号ｂ２の全スロットのうち受信と送信とが一致するスロットの応答信号を抽出する（Ｓ１１）。さらに、受信系評価部１５で試験対象の移動端末１２の受信信号ｃ１を取込む（Ｓ１２）。
【００４４】
その後、送信系評価部１４の各部２９、３０、３１、３２を起動して、試験対象の移動端末１２の受信状態時の送信機能、すなわち全二重通信（Ｆｕｌｌ−ｄｕｐｌｅｘ）送信機能を評価する（Ｓ１３）。次に、受信系評価部１５の各部３３、３４を起動して、試験対象の移動端末１２の送信状態時の受信機能、すなわち全二重通信（Ｆｕｌｌ−ｄｕｐｌｅｘ）受信機能を評価する（Ｓ１４）。そして、得られた全二重通信（Ｆｕｌｌ−ｄｕｐｌｅｘ）時の各評価結果を表示器１７へ表示出力する（Ｓ１５）。
【００４５】
このように構成された移動端末試験方法においては、移動端末試験装置１１から試験対象の移動端末１２へ送信する下り試験信号には、全二重通信（Ｆｕｌｌ−ｄｕｐｌｅｘ）機能を有さない通常の移動端末に対する通常の下り試験信号ａのみを採用している。
【００４６】
そして、試験対象の移動端末１２はこの下り試験信号ａにおける自己を指定したスロット（受信スロット）を含む全てのスロットに応答信号を組込んだ上り全スロット応答信号ｂ２を移動端末試験装置１１へ送信する。したがって、試験対象の移動端末１２としては、下り試験信号ａにおける受信スロットに含まれる試験信号を受信している状態で応答信号を送信していることになる。
【００４７】
そして、移動端末試験装置１１は、試験対象の移動端末１２が応答信号を送信している状態における受信信号ｃ１から該当移動端末１２における全二重通信（Ｆｕｌｌ−ｄｕｐｌｅｘ）時の受信機能の評価が可能となる。同様に、移動端末試験装置１１は、試験対象の移動端末１２が試験信号を受信している状態に送信された応答信号から該当移動端末１２における全二重通信（Ｆｕｌｌ−ｄｕｐｌｅｘ）時の送信機能の評価が可能となる。
【００４８】
このように移動端末試験装置１１は従来の下り試験信号ａを用いて、受信スロットと送信スロットが重複しない従来機能における送受信機能の評価を実施できることは勿論のこと、受信スロットと送信スロットが一致する全二重通信（Ｆｕｌｌ−ｄｕｐｌｅｘ）時の送信機能の評価が可能となる。
【００４９】
したがって、移動端末試験装置１１としては、全二重通信（Ｆｕｌｌ−ｄｕｐｌｅｘ）時の送信機能を評価するために、図７に示す各下り信号３ａ〜３ｃに対応するフォーマットの下り試験信号を生成する専用の信号発生部を別途付加する必要がない。
【００５０】
【発明の効果】
以上説明したように、本発明の移動端末試験方法においては、試験対象の移動端末側における上り応答信号を全部のスロットに応答信号を組込んだ上り全スロット応答信号とすることによって、移動端末試験装置側における最小限の制御変更で全二重通信（Ｆｕｌｌ−ｄｕｐｌｅｘ）機能を有する移動端末に対しても全二重通信（Ｆｕｌｌ−ｄｕｐｌｅｘ）時の送受信機能を正確に評価できる。
【図面の簡単な説明】
【図１】本発明の一実施形態の移動端末試験方法が適用される移動端末試験装置及び試験対象の移動端末の概略構成を示すブロック図
【図２】同実施形態の移動端末試験方法における各試験モードにおける試験信号と応答信号との関係を示す図
【図３】同実施形態の移動端末試験装置の試験動作を示す流れ図
【図４】基地局と各移動端末との関係を示す図
【図５】基地局と各移動端末との間で送受信される下り信号と上り信号のフォーマットを示す図
【図６】従来の移動端末試験方法を示す図
【図７】全二重通信（Ｆｕｌｌ−ｄｕｐｌｅｘ）機能を有した移動端末と基地局との間で送受信される下り信号と上り信号のフォーマットを示す図
【符号の説明】
７、１１…移動端末試験装置
２、１２…移動端末
１３…試験信号送信部
１４…送信系評価部
１５…受信系評価部
１６…測定制御部
１７…表示器
１８…操作部
２９…送信電力測定部
３０…周波数測定部
３１…変調度測定部
３２…隣接チャネル漏洩電力測定部
３３…ビット誤り率測定部
３４…受信感度測定部
【図１】
2004056670.tif 000003
【図２】
2004056670.tif 000004
【図３】
2004056670.tif 000005
【図４】
2004056670.tif 000006
【図５】
2004056670.tif 000007
【図６】
2004056670.tif 000008
【図７】
2004056670.tif 000009